(57)【要約】【課題】生活空間の中で身近な場所にヘルメットを常備でき、緊急災害時での着用率を高めることができるヘルメット、及びヘルメットの収納方法を提供すること。【解決手段】多数の軟質ループ状突起からなり、顎紐側フック面４１と結合可能なベルト側ループ面５１と、多数の硬質フック状突起からなり、外面の顎紐側ループ面４２ａと結合可能なベルト側フック面５４とを有する収納ベルト５０を備え、収納ベルト５０を板材の上面に配置し、顎紐側フック面４１とベルト側ループ面５１とを結合し、外面の顎紐側ループ面４２ａとベルト側フック面５２とを結合して板材の下方に垂下させて収納することを特徴とする。【選択図】        図４
2014156661.tif 000002
【特許請求の範囲】
【請求項１】
金属やプラスチック材などの硬質材で形成される帽体と、前記帽体の内周面に接続する一対の耳紐と、一方の前記耳紐に接続する一方の顎紐と、他方の前記耳紐に接続する他方の顎紐とを備え、
一方の前記顎紐の外面には、多数の硬質フック状突起からなる顎紐側フック面を有し、
他方の前記顎紐の外面及び内面には、多数の軟質ループ状突起からなる顎紐側ループ面を有し、前記顎紐側フック面と前記内面の前記顎紐側ループ面とを結合することで頭部への装着を行うヘルメットであって、
多数の軟質ループ状突起からなり、前記顎紐側フック面と結合可能なベルト側ループ面と、多数の硬質フック状突起からなり、前記外面の前記顎紐側ループ面と結合可能なベルト側フック面とを有する収納ベルトを備え、
前記収納ベルトを板材の上面に配置し、前記顎紐側フック面と前記ベルト側ループ面とを結合し、前記外面の前記顎紐側ループ面と前記ベルト側フック面とを結合して前記板材の下方に垂下させて収納することを特徴とするヘルメット。
【請求項２】
前記板材を椅子の座部としたことを特徴とする請求項１に記載のヘルメット。
【請求項３】
前記ベルト側ループ面と前記ベルト側フック面とを前記収納ベルトの一方の面に形成し、前記収納ベルトの他方の面を上にして、前記収納ベルトを前記板材の前記上面に配置することを特徴とする請求項１又は請求項２に記載のヘルメット。
【請求項４】
前記ベルト側ループ面の幅と前記ベルト側フック面の幅とが前記収納ベルトの幅よりも狭くしたことを特徴とする請求項１から請求項３のいずれかに記載のヘルメット。
【請求項５】
前記ベルト側ループ面が前記ベルト側フック面よりも長くしたことを特徴とする請求項１から請求項４のいずれかに記載のヘルメット。
【請求項６】
金属やプラスチック材などの硬質材で形成される帽体と、前記帽体の内周面に接続する一対の耳紐と、一方の前記耳紐に接続する一方の顎紐と、他方の前記耳紐に接続する他方の顎紐とを備え、
一方の前記顎紐の外面には、顎紐側第１連結具を有し、
他方の前記顎紐の外面及び内面には、顎紐側第２連結具を有し、前記顎紐側第１連結具と前記内面の前記顎紐側第２連結具とを結合することで頭部への装着を行うヘルメットであって、
前記顎紐側第１連結具と結合可能なベルト側第２連結具と、前記外面の前記顎紐側第２連結具と結合可能なベルト側第１連結具とを有する収納ベルトを備え、
前記収納ベルトを板材の上面に配置し、前記顎紐側第１連結具と前記ベルト側第２連結具とを結合し、前記外面の前記顎紐側第２連結具と前記ベルト側第１連結具とを結合して前記板材の下方に垂下させて収納することを特徴とするヘルメット。
【請求項７】
ヘルメットと収納ベルトとを備えたヘルメットの収納方法であって、
前記ヘルメットは、
金属やプラスチック材などの硬質材で形成される帽体と、前記帽体の内周面に接続する一対の耳紐と、一方の前記耳紐に接続する一方の顎紐と、他方の前記耳紐に接続する他方の顎紐とを備え、
一方の前記顎紐には、多数の硬質フック状突起からなる顎紐側フック面を有し、
他方の前記顎紐には、多数の軟質ループ状突起からなる顎紐側ループ面を有し、
前記収納ベルトは、
多数の軟質ループ状突起からなり、前記顎紐側フック面と結合可能なベルト側ループ面と、多数の硬質フック状突起からなり、前記顎紐側ループ面と結合可能なベルト側フック面とを有し、
前記顎紐側フック面と前記顎紐側ループ面とを結合することで頭部への前記ヘルメットの装着を行い、
前記収納ベルトを板材の上面に配置し、前記顎紐側フック面と前記ベルト側ループ面とを結合し、前記顎紐側ループ面と前記ベルト側フック面とを結合して前記板材の下方に前記ヘルメットを垂下させて収納することを特徴とするヘルメットの収納方法。
【発明の詳細な説明】
【技術分野】
【０００１】
本発明は、金属やプラスチック材などの硬質材で形成される帽体を備えたヘルメットに関する。
【背景技術】
【０００２】
金属やプラスチック材などの硬質材で形成される帽体を備えたヘルメットは、帽体がかさばるため収納性に劣り、緊急災害時に用いるヘルメットとしては適していない。
例えば、多数者が存在する学校の教室では、この種のヘルメットを常備することは極めて少ない。仮にこの種のヘルメットを常備しても、机から離れた位置に設けた収納専用スペースに収納するため、緊急時に多数者が取り出すには適さず、返って混乱を引き起こしかねない。
なお、この種のヘルメットにおいて、装着者の顎に係止する一対のベルトに面ファスナーを設けることは既に知られている（特許文献１）。
また、特許文献２では、顎紐の両端に面ファスナーを用いている。
また、顎紐のずれを防止するために帯状のベルトを用いることを提案する特許文献３では、この帯状のベルトの両端に面ファスナーを用いている。
特許文献４では、ズボン裾止めバンドを、顎紐のない帽子に取り付けて使用することを提案している。
特許文献５では、帽子に脱着可能な肩掛け部片を備え、この肩掛け部片を用いることで帽子を肩掛けバッグやウエストポーチとして利用できることを提案している。
【先行技術文献】
【特許文献】
【０００３】
【特許文献１】実願昭６２−１９４５３号（実開昭６３−１２７９４０号）の願書に添付した明細書及び図面の内容を撮影したマイクロフィルム（昭和６３年８月２２日特許庁発行）
【特許文献２】特開２００４−１６２２１３号公報
【特許文献３】実願昭６２−１０１９９８号（実開昭６４−７２３１号）の願書に添付した明細書及び図面の内容を撮影したマイクロフィルム（昭和６４年１月１７日特許庁発行）
【特許文献４】実願昭５６−９５４０５号（実開昭５８−４６１５号）の願書に添付した明細書及び図面の内容を撮影したマイクロフィルム（昭和５８年１月１１日特許庁発行）
【特許文献５】登録実用新案第３０９５７２６号公報
【発明の概要】
【発明が解決しようとする課題】
【０００４】
しかし、生活空間の中で身近な場所に常備できるヘルメットを提案するものではない。
【０００５】
本発明は、生活空間の中で身近な場所にヘルメットを常備でき、緊急災害時での着用率を高めることができるヘルメット、及びヘルメットの収納方法を提供することを目的とする。
【課題を解決するための手段】
【０００６】
請求項１記載の本発明のヘルメットは、金属やプラスチック材などの硬質材で形成される帽体と、前記帽体の内周面に接続する一対の耳紐と、一方の前記耳紐に接続する一方の顎紐と、他方の前記耳紐に接続する他方の顎紐とを備え、一方の前記顎紐の外面には、多数の硬質フック状突起からなる顎紐側フック面を有し、他方の前記顎紐の外面及び内面には、多数の軟質ループ状突起からなる顎紐側ループ面を有し、前記顎紐側フック面と前記内面の前記顎紐側ループ面とを結合することで頭部への装着を行うヘルメットであって、多数の軟質ループ状突起からなり、前記顎紐側フック面と結合可能なベルト側ループ面と、多数の硬質フック状突起からなり、前記外面の前記顎紐側ループ面と結合可能なベルト側フック面とを有する収納ベルトを備え、前記収納ベルトを板材の上面に配置し、前記顎紐側フック面と前記ベルト側ループ面とを結合し、前記外面の前記顎紐側ループ面と前記ベルト側フック面とを結合して前記板材の下方に垂下させて収納することを特徴とする。
請求項２記載の本発明は、請求項１に記載のヘルメットにおいて、前記板材を椅子の座部としたことを特徴とする。
請求項３記載の本発明は、請求項１又は請求項２に記載のヘルメットにおいて、前記ベルト側ループ面と前記ベルト側フック面とを前記収納ベルトの一方の面に形成し、前記収納ベルトの他方の面を上にして、前記収納ベルトを前記板材の前記上面に配置することを特徴とする。
請求項４記載の本発明は、請求項１から請求項３のいずれかに記載のヘルメットにおいて、前記ベルト側ループ面の幅と前記ベルト側フック面の幅とが前記収納ベルトの幅よりも狭くしたことを特徴とする。
請求項５記載の本発明は、請求項１から請求項４のいずれか記載のヘルメットにおいて、前記ベルト側ループ面が前記ベルト側フック面よりも長くしたことを特徴とする。
請求項６記載の本発明のヘルメットは、金属やプラスチック材などの硬質材で形成される帽体と、前記帽体の内周面に接続する一対の耳紐と、一方の前記耳紐に接続する一方の顎紐と、他方の前記耳紐に接続する他方の顎紐とを備え、一方の前記顎紐の外面には、顎紐側第１連結具を有し、他方の前記顎紐の外面及び内面には、顎紐側第２連結具を有し、前記顎紐側第１連結具と前記内面の前記顎紐側第２連結具とを結合することで頭部への装着を行うヘルメットであって、前記顎紐側第１連結具と結合可能なベルト側第２連結具と、前記外面の前記顎紐側第２連結具と結合可能なベルト側第１連結具とを有する収納ベルトを備え、前記収納ベルトを板材の上面に配置し、前記顎紐側第１連結具と前記ベルト側第２連結具とを結合し、前記外面の前記顎紐側第２連結具と前記ベルト側第１連結具とを結合して前記板材の下方に垂下させて収納することを特徴とする。
請求項７記載の本発明のヘルメットの収納方法は、ヘルメットと収納ベルトとを備えたヘルメットの収納方法であって、前記ヘルメットは、金属やプラスチック材などの硬質材で形成される帽体と、前記帽体の内周面に接続する一対の耳紐と、一方の前記耳紐に接続する一方の顎紐と、他方の前記耳紐に接続する他方の顎紐とを備え、一方の前記顎紐には、多数の硬質フック状突起からなる顎紐側フック面を有し、他方の前記顎紐には、多数の軟質ループ状突起からなる顎紐側ループ面を有し、前記収納ベルトは、多数の軟質ループ状突起からなり、前記顎紐側フック面と結合可能なベルト側ループ面と、多数の硬質フック状突起からなり、前記顎紐側ループ面と結合可能なベルト側フック面とを有し、前記顎紐側フック面と前記顎紐側ループ面とを結合することで頭部への前記ヘルメットの装着を行い、前記収納ベルトを板材の上面に配置し、前記顎紐側フック面と前記ベルト側ループ面とを結合し、前記顎紐側ループ面と前記ベルト側フック面とを結合して前記板材の下方に前記ヘルメットを垂下させて収納することを特徴とする。
【発明の効果】
【０００７】
本発明によれば、生活空間の中で身近な場所にヘルメットを常備でき、緊急災害時での着用率を高めることができる。
【図面の簡単な説明】
【０００８】
【図１】本発明の一実施例によるヘルメットを一側方から見た斜視図
【図２】同ヘルメットを他側方から見た斜視図
【図３】同ヘルメットに用いる収納ベルトの一方の面と他方の面を示す平面図
【図４】同ヘルメットの収納状態を示す斜視図
【発明を実施するための形態】
【０００９】
本発明の第１の実施の形態によるヘルメットは、多数の軟質ループ状突起からなり、顎紐側フック面と結合可能なベルト側ループ面と、多数の硬質フック状突起からなり、外面の顎紐側ループ面と結合可能なベルト側フック面とを有する収納ベルトを備え、収納ベルトを板材の上面に配置し、顎紐側フック面とベルト側ループ面とを結合し、外面の顎紐側ループ面とベルト側フック面とを結合して板材の下方に垂下させて収納するものである。本実施の形態によれば、頭部への装着を行うときに用いる顎紐側フック面を利用し、収納ベルトを用いて板材の下方に収納できる。従って、生活空間の中で身近な場所にヘルメットを常備でき、また装着も容易であるために緊急災害時でのヘルメットの着用率が高まる。
【００１０】
本発明の第２の実施の形態は、第１の実施の形態によるヘルメットにおいて、板材を椅子の座部としたものである。本実施の形態によれば、例えば教室などの多数者が集まる場所において、各人の身近な場所にヘルメットを常備でき、ヘルメットを着用した緊急避難を可能にする。なお、本実施の形態によれば、硬質フック状突起からなる顎紐側フック面を顎紐の外面に設けているので、ヘルメットの装着時に硬質フック状突起が顎に触れることによる不快感を防止できる。
【００１１】
本発明の第３の実施の形態は、第１又は第２の実施の形態によるヘルメットにおいて、ベルト側ループ面とベルト側フック面とを収納ベルトの一方の面に形成し、収納ベルトの他方の面を上にして、収納ベルトを板材の上面に配置するものである。本実施の形態によれば、収納ベルトの上面にはベルト側ループ面やベルト側フック面が形成されていないため、例えば、椅子の座部に垂下させて収納する場合には、ズボンやスカートに引っかかってヘルメットが落下することを防止できる。
【００１２】
本発明の第４の実施の形態は、第１から第３の実施の形態によるヘルメットにおいて、ベルト側ループ面の幅とベルト側フック面の幅とが収納ベルトの幅よりも狭くしたものである。本実施の形態によれば、ベルト側ループ面とベルト側フック面との幅を狭くすることでコスト削減を図れるとともにベルト側ループ面やベルト側フック面に塵などの付着を少なくすることができる。
【００１３】
本発明の第５の実施の形態は、第１から第４の実施の形態によるヘルメットにおいて、ベルト側ループ面がベルト側フック面よりも長くしたものである。本実施の形態によれば、ベルト側フック面を短くすることで、硬質フック状突起に触れることによる不快感を防止でき、ベルト側ループ面を長くすることで、異なる板材の幅に対応することができる。
【００１４】
本発明の第６の実施の形態によるヘルメットは、顎紐側第１連結具と結合可能なベルト側第２連結具と、外面の顎紐側第２連結具と結合可能なベルト側第１連結具とを有する収納ベルトを備え、収納ベルトを板材の上面に配置し、顎紐側第１連結具とベルト側第２連結具とを結合し、外面の顎紐側第２連結具とベルト側第１連結具とを結合して板材の下方に垂下させて収納するものである。本実施の形態によれば、頭部への装着を行うときに用いる顎紐側第１連結具を利用し、収納ベルトを用いて板材の下方に収納できる。従って、生活空間の中で身近な場所にヘルメットを常備でき、また装着も容易であるために緊急災害時でのヘルメットの着用率が高まる。
【００１５】
本発明の第７の実施の形態によるヘルメットの収納方法は、顎紐側フック面と顎紐側ループ面とを結合することで頭部へのヘルメットの装着を行い、収納ベルトを板材の上面に配置し、顎紐側フック面とベルト側ループ面とを結合し、顎紐側ループ面とベルト側フック面とを結合して板材の下方にヘルメットを垂下させて収納するものである。本実施の形態によれば、生活空間の中で身近な場所にヘルメットを常備でき、また装着も容易であるために緊急災害時でのヘルメットの着用率が高まる。
【実施例】
【００１６】
以下本発明の実施例について図面とともに詳細に説明する。
図１は本発明の一実施例によるヘルメットを一側方から見た斜視図、図２は同ヘルメットを他側方から見た斜視図である。
【００１７】
図１及び図２に示すように、ヘルメット１０は、金属やプラスチック材などの硬質材で形成される帽体１１と、装着者の頭部周囲を囲繞するヘッドバンド１２と、帽体１１の前頭部側に鍔部１３とを備えている。帽体１１の内部には、衝撃吸収用のライナー１４と、このライナー１４よりも頭部側にハンモック１５とを備えている。また、ヘッドバンド１２には、装着者の頭部に合わせてサイズを変更できるサイズ調整部材１６を備え、このサイズ調整部材１６は頭部側に配置される。
帽体１１の両側部には、帽体１１の内周面に両端を接続する一対の耳紐２１、２２を備えている。一方の耳紐２１には一方の顎紐３１の一端が接続され、他方の耳紐２２には他方の顎紐３２の一端が接続されている。
【００１８】
なお、一方の顎紐３１の一端、及び他方の顎紐３２の一端は、それぞれループ部が形成され、このループ部によって一方の顎紐３１は一方の耳紐２１に、他方の顎紐３２は他方の耳紐２２に接続されている。従って、一方の顎紐３１は一方の耳紐２１に対して摺動でき、他方の顎紐３２は他方の耳紐２２に対して摺動できる。
耳紐２１、２２及び顎紐３１、３２は所定幅を有する帯状の紐である。
一方の耳紐２１は、帽体１１の側頭部前方に一端を連結し、帽体１１の側頭部後方に他端を連結している。他方の耳紐２２は、帽体１１の側頭部前方に一端を連結し、帽体１１の側頭部後方に他端を連結している。
【００１９】
一方の顎紐３１の外面には、多数の硬質フック状突起からなる顎紐側フック面（顎紐側第１連結具）４１を有している。
他方の顎紐３２の外面には、多数の軟質ループ状突起からなる顎紐側ループ面（顎紐側第２連結具）４２ａを有し、他方の顎紐３２の内面には、多数の軟質ループ状突起からなる顎紐側ループ面（顎紐側第２連結具）４２ｂを有している。
顎紐側フック面４１と顎紐側ループ面４２ｂとで面ファスナーを構成し、顎紐側フック面４１と顎紐側ループ面４２ｂとを結合することで頭部への装着を行うことができる。
【００２０】
図３は本発明の一実施例によるヘルメットに用いる収納ベルトの一方の面と他方の面を示す平面図である。
収納ベルト５０は、多数の軟質ループ状突起からなり、顎紐側フック面４１と結合可能なベルト側ループ面（ベルト側第２連結具）５１と、多数の硬質フック状突起からなり、外面の顎紐側ループ面４２ａと結合可能なベルト側フック面（ベルト側第１連結具）５２とを有する。顎紐側フック面４１とベルト側ループ面５１とで面ファスナーを構成し、顎紐側ループ面４２ａとベルト側フック面５２とで面ファスナーを構成する。
ベルト側ループ面５１とベルト側フック面５２とは収納ベルト５０の一方の面５０ａに形成し、他方の面５０ｂには形成しない。
【００２１】
ベルト側ループ面５１の幅とベルト側フック面５２の幅とは収納ベルト５０の幅よりも狭く、ベルト側ループ面５１はベルト側フック面５２よりも長くしている。
ベルト側ループ面５１とベルト側フック面５２との幅を狭くすることでコスト削減を図れるとともにベルト側ループ面５１やベルト側フック面５２に塵などの付着を少なくすることができる。
また、ベルト側フック面５２を短くすることで、硬質フック状突起に触れることによる不快感を防止でき、ベルト側ループ面５１を長くすることで、異なる板材の幅に対応することができる。
【００２２】
図４は本発明の一実施例によるヘルメットの収納状態を示す斜視図である。
本実施例では、板材を椅子の座部６０としている。
本実施例によるヘルメット１０は、収納ベルト５０を板材である座部６０の上面に配置し、顎紐側フック面４１とベルト側ループ面５１とを結合し、外面の顎紐側ループ面４２ａとベルト側フック面５２とを結合して座部６０の下方に垂下させて収納する。収納ベルト５０は、他方の面５０ｂを上にして、収納ベルト５０を座部６０の上面に配置する。
収納ベルト５０の他方の面５０ｂにはベルト側ループ面５１やベルト側フック面５２が形成されていないため、例えば、椅子の座部６０に垂下させて収納する場合には、ズボンやスカートに引っかかってヘルメット１０が落下することを防止できる。
【００２３】
以上のように本実施例によれば、顎紐側フック面４１と顎紐側ループ面４２ｂとを結合することで頭部へのヘルメット１０の装着を行い、収納ベルト５０を座部６０の上面に配置し、顎紐側フック面４１とベルト側ループ面５１とを結合し、顎紐側ループ面４２ａとベルト側フック面５２とを結合して座部６０の下方にヘルメット１０を垂下させて収納することができる。従って、生活空間の中で身近な場所にヘルメット１０を常備でき、また装着も容易であるために緊急災害時でのヘルメット１０の着用率が高まる。
また本実施例によれば、頭部への装着を行うときに用いる顎紐側フック面４１を利用し、収納ベルト５０を用いて座部６０の下方に収納できる。
【００２４】
以上のように、例えば教室などの多数者が集まる場所において、各人の身近な場所にヘルメット１０を常備でき、ヘルメット１０を着用した緊急避難を可能にする。なお、本実施例によれば、硬質フック状突起からなる顎紐側フック面４１を顎紐３１の外面に設けているのでヘルメット１０の装着時に硬質フック状突起が顎に触れることによる不快感を防止できる。
【００２５】
なお、本実施例では、顎紐側第１連結具を顎紐側フック面４１、顎紐側第２連結具を顎紐側ループ面４２ａ、４２ｂ、ベルト側第１連結具をベルト側フック面５２、ベルト側第２連結具をベルト側ループ面５１として説明したが、例えば、顎紐側第１連結具を顎紐側フック面４１に代えて顎紐側オスカン金具（雄側ホック）、顎紐側第２連結具を顎紐側ループ面４２ａ、４２ｂに代えて顎紐側メスカン金具（雌側ホック）、ベルト側第１連結具をベルト側フック面５２に代えてベルト側オスカン金具（雄側ホック）、ベルト側第２連結具をベルト側ループ面５１に代えてベルト側メスカン金具（雌側ホック）とすることもできる。このように、雄側ホックと雌側ホックとを用いる場合には、雌側ホックを所定間隔で複数段設けることが好ましい。
【産業上の利用可能性】
【００２６】
本発明のヘルメットは、建築作業や土木作業などの工事現場における頭部保護用のヘルメット、オートバイなどの車両用のヘルメットにも適用できるが、特に火災や地震などの震災時における頭部防護用のヘルメットとして適している。
【符号の説明】
【００２７】
１０  ヘルメット
１１  帽体
２１、２２  耳紐
３１、３２  顎紐
４１  顎紐側フック面（顎紐側第１連結具）
４２ａ  顎紐側ループ面（顎紐側第２連結具）
４２ｂ  顎紐側ループ面（顎紐側第２連結具）
５０  収納ベルト
５０ａ  一方の面
５０ｂ  他方の面
５１  ベルト側ループ面（ベルト側第２連結具）
５２  ベルト側フック面（ベルト側第１連結具）
６０  座部
【図１】
2014156661.tif 000003
【図２】
2014156661.tif 000004
【図３】
2014156661.tif 000005
【図４】
2014156661.tif 000006